(57)【要約】【課題】体調管理に有益な過去の測定結果のとの比較を行いかつ、第三者に測定結果を見られないようにする。【解決手段】暗証コードが設定された被測定者番号で測定後、前回スイッチ８が押された場合は、マイクロコンピュータ１５の中に構成された暗証コード確認手段は１４は前回の値を表示する前に暗証コードの入力を要求する。【選択図】  図２
2004344275.tif 000002
【特許請求の範囲】
【請求項１】
被測定者の体重、身長、性別、年齢に代表される被測定者情報を入力する入力手段と、被測定者の第一の部位に接触する第一電極と、前記第一の部位とは異なる第二の部位に接触する第二電極と、前記第一電極と前記第二電極との電極間のインピーダンスを測定するインピーダンス測定手段とを備え、前記被測定者情報と前記インピーダンス測定手段により測定したインピーダンス値から被測定者の生体情報を演算する演算手段と、前記演算手段の演算結果を報知する報知手段と、前記演算手段の演算結果を記憶する記憶手段と、前記記憶手段に記憶された演算結果を呼び出す呼び出し手段を備え、前記記憶手段に記憶された過去の生体情報を呼び出して報知することにより、現在の生体情報との比較を行うことが可能となる生体情報測定装置において、前記入力手段を用いて暗証コードを設定する暗証コード設定手段と、前記暗証コードに基づき、過去の演算結果の呼び出し報知を制限する暗証コード確認手段を有する生体情報測定装置。
【請求項２】
被測定者が載ることで体重を測定する体重測定手段に、第一電極および第二電極の少なくとも１つの電極を被測定者の足裏と接触する位置に配設し、前記体重測定手段により測定した体重値を被測定者情報の１つとする請求項１に記載の生体情報測定装置。
【請求項３】
入力手段は、数字を意味する表記を持たない、もしくは数字を意味する形状でない請求項１または２に記載の生体情報測定装置。
【請求項４】
報知手段は、７つのセグメントの組み合わせで０〜９の数字および／もしくは一部のアルファベットの表現を行うことができる表示ブロックを複数個配設した表示器である請求項１〜３のいずれか１項に記載の生体情報測定装置。
【請求項５】
暗証コード設定手段は、複数の表示ブロック中でそれぞれ１つのセグメントの位置を選択し、複数の表示ブロック中の選択されたセグメントの位置の組み合わせを暗証コードとする請求項４に記載の生体情報測定装置。
【請求項６】
暗証コード設定手段は、複数の表示ブロック中でそれぞれ複数のセグメントの位置を選択し、選択されたセグメントの形状を暗証コードとする請求項５に記載の生体情報測定装置。
【発明の詳細な説明】
【０００１】
【発明の属する技術分野】
本発明は被測定者の生体物理量に基づき、生体に関する情報を算出する生体情報測定装置の表示結果の保護に関するものである。
【０００２】
【従来の技術】
従来この種の生体情報測定装置の測定結果表示方法には、測定結果の履歴を表示するものがあった（例えば特許文献１参照）。また、前回測定した値を測定開始時に電源スイッチを押しつづけることで表示するものもあった（例えば特許文献２参照）。図８は、特許文献１に記載された測定終了後の結果表示であるが、今回測定された値とともに、過去の測定結果履歴が表示されるものとなっている。例えば図８（ａ）においては、今回測定された体脂肪率値とともに、過去の測定結果履歴が表示されており、図８（ｂ）においては、今回測定された体重値とともに、過去の測定結果履歴が表示されるものとなっている。
【０００３】
【特許文献１】
特開２００１−２０４７０３号公報（第８図）
【特許文献２】
特開平６−１０５８１５号公報（第３図）
【０００４】
【発明が解決しようとする課題】
しかしながら、従来の生体情報測定装置では、前回に測定した結果、或いは過去測定した履歴を表示するため、第３者が測定を行った場合もしくは行おうとした場合に、他人の計測結果が表示されるため、プライバシーの保護ができないといった課題があった。
【０００５】
生体情報の中でも体重や体脂肪といった測定結果は、特に若い女性にとっては、家族であっても秘密にしたい情報であり、前回測定した結果の変化を確認するために比較はしたいものの、他人には見られたくないという相反するものとなっていた。
【０００６】
本発明は、上記従来の課題を解決するもので、測定した生体情報の表示後に過去の結果を呼び出す場合は、暗証コードを入力し、入力した暗証コードが合致した場合にのみ過去の結果を表示し、過去の結果との比較により自身の変化を確認できるものでありつつ、測定結果に対してはプライバシーの保護をはかることができる生体情報測定装置の提供を目的としたものである。
【０００７】
【課題を解決するための手段】
本発明は前記従来の課題を解決するために、過去の生体情報を呼び出して報知し、現在の生体情報との比較を行う場合には、事前に設定した暗証コードと合致した場合に、過去の演算結果の呼び出し報知を可能とする暗証コード確認手段を設けたものである。
【０００８】
【発明の実施の形態】
請求項１に記載の発明は、被測定者の体重、身長、性別、年齢に代表される被測定者情報を入力する入力手段と、被測定者の第一の部位に接触する第一電極と、前記第一の部位とは異なる第二の部位に接触する第二電極と、前記第一電極と前記第二電極との電極間のインピーダンスを測定するインピーダンス測定手段とを備え、前記被測定者情報と前記インピーダンス測定手段により測定したインピーダンス値から被測定者の生体情報を演算する演算手段と、前記演算手段の演算結果を報知する報知手段と、前記演算手段の演算結果を記憶する記憶手段と、前記記憶手段に記憶された演算結果を呼び出す呼び出し手段を備え、前記記憶手段に記憶された過去の生体情報を呼び出して報知することにより、現在の生体情報との比較を行うことが可能となる生体情報測定装置において、前記入力手段を用いて暗証コードを設定する暗証コード設定手段と、前記暗証コードに基づき、過去の演算結果の呼び出し報知を制限する暗証コード確認手段を有することにより、第３者が、誤って他人の被測定者情報で測定した後に過去の生体情報を呼び出そうと呼び出し手段を操作しても、暗証コードが合致しないために、過去の測定結果は表示されずにプライバシーの保護が図れるものである。
【０００９】
請求項２に記載の発明は、特に請求項１に記載の被測定者情報の一つである体重値に関して、被測定者が載ることで体重を測定する体重測定手段に、第一電極および第二電極の少なくとも１つの電極を被測定者の足裏と接触する位置に配設し、前記体重測定手段により測定した体重値を被測定者情報の１つとすることで、体重値の入力が自動となり入力の手間の軽減が図れるものである。
【００１０】
請求項３に記載の発明は、特に請求項１に記載の入力手段が、数字を意味する表記をもたない、もしくは数字を意味する形状でないものであっても、被測定者情報の身長や体重の数字の入力が可能となる操作仕様にすることで、０〜９の数字を一つづつ配設する場合に比べ装置自体のスイッチの数が少なくなり装置自体がすっきり見えるという概観上の向上を図るものである。
【００１１】
請求項４に記載の発明は、特に請求項１に記載の報知手段を、７つのセグメントの組み合わせで０〜９の数字や一部のアルファベットの表現を行うことができる表示ブロックを複数個配設した表示器とし、被測定者情報の入力状態の確認や測定結果を直接数字で確認できることができるようにしたものである。
【００１２】
請求項５に記載の発明は、特に請求項１記載の暗証コード設定手段による暗証コード設定時に、請求項４記載の表示器において複数の表示ブロック中でそれぞれ１つのセグメントの位置を選択し、複数の表示ブロック中の選択されたセグメントの位置の組み合わせを暗証コードとすることで、数字の組み合わせではない暗証コードのバリエーションを広げ、予想されにくい暗証コードパターンの入力が可能としたものである。
【００１３】
請求項６に記載の発明は、特に請求項１〜２記載の暗証コード設定手段による暗証コード設定時に、請求項４記載の表示器において複数の表示ブロック中でそれぞれ複数のセグメントの位置を選択し、選択されたセグメントの形状を暗証コードとすることで数字の組み合わせではない暗証コードのバリエーションを広げ、予想されにくい暗証コードパターンの入力が可能としたものである。
【００１４】
【実施例】
以下本発明の実施例について図面を参照しながら説明する。
【００１５】
説明を具体的にするために、本実施例では、生体情報測定装置を生体インピーダンスと体重と身長と性別等の被測定者情報から、測定する生体に関する情報を体脂肪率として説明しているが、生体インピーダンスと、被測定者の身体的特徴をあらわす被測定者情報から算出される生体に関する情報を測定算出するものであれば、例えば、骨密度の測定装置であっても、筋肉の量や、筋肉の疲労度を測定するものであっても本発明の主旨を逸脱するものではない。
【００１６】
（実施例１）
図１は本発明の第１の実施例における生体情報測定装置の外観図、図２は生体情報測定装置のブロック図、図３は測定時の説明図である。本実施例の生体情報測定装置は人体載置部２を装置本体外殻としており、ここに第一の部位に接触する第一電極である足部電極１ａ、１ｂ、１ｃ、１ｄが取り付けられている。本実施例において１ａと１ｂは電気的に短絡接続され、一対で構成される定電流電源部９ａの電極の一端であり、１ｃと１ｄは電気的に短絡接続され、一対で構成される人体抵抗電位検出部９ｂの電極の一端であり、前述の定電流電源部９ａと人体抵抗電位検出部９ｂでインピーダンス測定手段９を構成する。人体載置部２には、被測定者情報を入力するための入力手段５、報知手段６として液晶表示器が備えられている。人体載置部２と把持部４はケーブル７で接続されている。
【００１７】
第二の部位に接触する第二の電極である手部電極３ａ、３ｂは導電性の金属材料で把持部４に巻き付け固定したものであり、３ａは前述の一対で構成される定電流電源の電極のもう一方の一端であり、３ｂは前述の一対で構成される人体抵抗電位検出手段の電極のもう一方の一端である。
【００１８】
被測定者１０は図３のように把持部４を握って手のひらを手部電極３ａ、３ｂに接触させた状態で人体載置部２の上に素足で乗る。このとき手部電極３ａ、３ｂは被測定者１０の手のひらに、足部電極１ａ、１ｂ、１ｃ、１ｄは被測定者１０の足の裏に接触する。
【００１９】
図２に示すように足部電極１ａ、１ｂ、１ｃ、１ｄならびに手部電極３ａ、３ｂはインピーダンス測定手段９に接続されている。インピーダンス測定手段９は４端子法により、短絡された足部電極１ａ、１ｂ電極と手部電極３ａ電極間に定電流電源部９ａにより定電流を流し、足部電極１の他方の電極と手部電極２の他方の電極間で人体抵抗電位検出部９ｂにより電圧を測定することによって、インピーダンスを測定できるよう構成されている。本実施例では、５０ｋＨｚ、５００μＡの人体が感じることのない微弱な電流を使用している。測定したインピーダンスは演算手段１１の機能を有するマイクロコンピュータ１５に入力される。
マイクロコンピュータ１５には先に説明した入力手段５と液晶表示器６が接続されている。実施例中の足電極１ａ、１ｂと１ｃ、１ｄはそれぞれ短絡した状態で説明したが、１ａと１ｃのみで１ｂと１ｄがない構成、或いは１ａと１ｃが無くで１ｂと１ｄのみの構成でも、手−足間のインピーダンスの測定は可能であり、本発明の範囲を逸脱するものではない。加えて、インピーダンス測定手段９における定電流源部９ａの電極を１ａ、１ｂと３ａとし、人体抵抗電位検出部９ｂの電極を１ｃ、１ｄと３ｂとしたが、定電流源部９ａの電極を１ｃ、１ｄと３ｂとし人体抵抗電位検出部９ｂの電極を１ａ、１ｂと３ａとしても手−足間のインピーダンスの測定は可能であり、本発明の範囲を逸脱するものではない（以降説明を簡略化するために足部電極１ａ、１ｂ、１ｃ、１ｄを総称して足部電極１とし、手部電極３ａ、３ｂを総称して手部電極３と称する）。
【００２０】
次に動作、作用について説明する。図４は、報知手段６である液晶表示器と入力手段５を具体的に表したもので、液晶表示器の全点灯状態を表している。次に入力手段５を個々に説明すると、５ａは情報入力中、液晶表示器に表現される数字を増加方向にマークを上方向に変化させるＵＰスイッチ５Ａ、５ｂは液晶表示器に表現される数字を減少方向に、マークを下方向に変化させるＤＯＷＮスイッチ５Ｂ、５ｃは入力内容を確定する設定スイッチ５ｃ、５ｄは機器の電源を入り切りする電源スイッチ、８は過去の記録を呼び出す前回スイッチで呼び出し手段に相当する。
【００２１】
次に操作について説明する。被測定者情報を入力するためにまず設定スイッチ５ｃを押して、被測定者情報を記憶する番号を選択するモードに入る。被測定者を番号で管理することにより繰り返し測定する場合に、以降入力する身長や年齢等の情報を記憶しておくことが可能となり繰り返し測定時の入力操作の軽減が図れる。番号が表示された状態でＵＰスイッチ５ａを押す度に数字が１→２→３→４と増える。被測定者の情報を４人まで記憶する場合は、４の次は１に戻るようになる。またダＤＯＷＮスイッチ５ｂが押された場合は、１→４→３→２→１と数字が減って行く。所望する番号で設定スイッチ５ｃを押せば次は年齢の選択モードに移行する。図５（ａ）は、被測定者番号を４に選択した場合である、今回の表示例は−４−と表現して他の表現と区別できるようにしている。
【００２２】
年齢の選択モードにおいても、ＵＰスイッチ５ａとＤＯＷＮスイッチ５ｂを用いて表示される数字を増やしたり減らしたりして被測定者の年齢を選択後、設定スイッチ５ｃを押して、年齢を確定し、性別の選択モードに移行する。図５（ｂ）は３０才が選択された場合である。
【００２３】
性別の選択モードでは、図５（ｃ）に示すように男女の文字マークが上下に配設され、ＵＰスイッチ５ａが押された場合は上の女マークが点灯しとＤＯＷＮスイッチ５ｂが押された場合は下の男マークが点灯するようにし、性別を選択後設定スイッチ５ｃを押して性別を確定し、身長の選択モードに移行する。図５（ｄ）は女が選択された場合である。
【００２４】
身長の選択モードでもＵＰスイッチ５ａとＤＯＷＮスイッチ５ｂを用いて表示される数字を増やしたり減らしたりして被測定者の身長を選択後、設定スイッチ５ｃを押して、身長を確定し、被測定者情報の入力を終了する。図５（ｅ）は身長１６５ｃｍが選択された場合である。
【００２５】
実際の測定に先立ち、被測定者１０は自分の被測定者番号を選択し（スイッチは図示せず）測定状態に入る。次に、被測定者１０は図３に示すように、本実施例における規定の測定姿勢とした腕を前方にかつ水平にのばした状態で把持部４を握り、人体載置部２に乗る。このとき、手部電極３は被測定者１０の手のひらに、足部電極４は被測定者１０の足の裏に接触する。手部電極３及び足部電極４はインピーダンス測定手段９に接続されており、被測定者１０の手足間のインピーダンスを測定する。インピーダンス測定手段９からのインピーダンスがマイクロコンピュータ１５に入力されると、演算手段１１を内部構成するマイクロコンピュータ１５はプログラムによりインピーダンスと被測定者情報から体脂肪率を計算し、結果を液晶表示器６に出力する。体脂肪率を求める式は各種のものが知られているが、本実施例では、体密度より求めるＢｒｏｚｅｃの式（Ｂｒｏｚｅｃらの報告書Ｊ．Ｂｒｏｚｅｃ、Ｆ．Ｇｒａｎｄｅ、Ｊ．Ｔ．Ａｎｄｅｒｓｏｎ  ａｎｄ  Ａ．Ｋｅｙ；“Ａｎ  ＮＹ  Ａｃａｄ．ｓｃｉ  １１０（１９６３）１１３−４０）を用いている。この式はたとえば男性の場合
体密度＝１．１５５４−．０８４１×体重×インピーダンス／身長２
体脂肪率（％）＝（４．９５／体密度−４．５）×１００
から求められる。なお、この式は男性の場合の式であるが、女性の場合も各部の係数を変えることにより適用できるので、被測定者情報に含まれる性別を元に式を切り換える。また、体脂肪率を求める式はこの他にも多くの式が報告されているが、インピーダンスから体脂肪率を求める式であれば、どのような式を用いて、本発明の趣旨を逸脱するものではない。
【００２６】
なお、本実施例においては、インピーダンスより求めた体脂肪率をそのまま表示しているが、体脂肪率から求められる、体脂肪重量、徐脂肪重量、徐脂肪率等で表示を行ってもよい。また、入力手段としてＵＰスイッチ５ａとＤＯＷＮスイッチ５ｂと設定スイッチ５ｃの組み合わせによる入力手段５を用いているが、目的とする被測定者情報を入力できる方法であれば、たとえば１０キーによる入力手段やロータリーエンコーダー等を用いた回転式の入力手段等であっても本発明の範囲を逸脱するものではない。また、報知手段として液晶表示器を用いているが、その他の報知手段、たとえば発光ダイオードを使用したものや、音声で報知するものも範囲に含まれる。また、定電流は人体に感じない範囲であれば、その周波数、電流の大小は任意に変えることができる。また、本実施例においては右手−両足間でインピーダンスを測定しているが手足間のインピーダンスを測定できれば左手−両足間、右手−右足間、右手−左足間、左手−右足間、左手−左足間、その組み合わせは自由である。また、把持部は片手にもてる円筒形のものを使用しているが、その形状に制限はなく、握りやすく、手部電極が手に確実に接触できるものであれば、形状は任意である。
【００２７】
測定が終了すると、液晶表示器に体重値と体脂肪率が表示される。図５（ｆ）は測定結果が体重５２．７ｋｇ体脂肪率３４．２％であった場合である。
【００２８】
この結果は、マイクロコンピュータ１５の中に構成される記憶手段１２に記憶される。
【００２９】
翌日等に被測定者１０が被測定者番号４を選択し、再度測定し、測定結果が体重５３．７ｋｇ体脂肪率３５．２％と表示された状態で、呼び出し手段８に相当する前回スイッチ８を押すと、前回測定された図５（ｆ）の表示内容が呼び出され、前回測定内容との比較が記憶に頼ることなく行うことができ自己の体調管理に有益なものとなる。
【００３０】
しかしながら、全くの第３者が、誤って被測定者番号を４に選択して測定後、前回スイッチ８を押した場合には、被測定者１０の結果が表示され、被測定者の体重値や体脂肪値が本人の知らないところで明らかになってしまいプライバシーの保護ができない。
【００３１】
このような状況を防ぐために、自分の測定結果を他人に知られたくない場合は、被測定者番号で管理された被測定者情報中に暗証コードも記憶させ、他人が誤って自分の被測定者番号で図った後に前回スイッチを押されても、暗証コードが合致しない場合は前回の結果を表示しない実施例について説明する。
【００３２】
被測定者番号選択中に前回スイッチ８を押して暗証コードを設定するかどうかを選択する、前回スイッチ８を押すたびにＰの文字が点灯消灯を繰り返すようにしておけば、操作の誤りも簡単に回避できる。図５（ｇ）ではモードへの移行をＰの文字で表している。Ｐの文字が点灯状態で設定スイッチ５ｃが押されれば暗証コードの設定モードに移行する。
【００３３】
ここでの暗証コードの設定手段１３（マイクロコンピュータ１５の内部に構成）の設定内容は、説明を簡単にするために１〜９の数字を暗証コードとして設定するものとする。被測定者は、ＵＰスイッチ５ａ、ＤＯＷＮスイッチ５ｂを操作して所望の暗証コードを選択し、設定スイッチ５ｃを押して暗証コードを確定し、前述の年齢選択モードに移行する。年齢選択モード以降の設定方法については、前述の内容を同様のため説明は割愛する。図５（ｈ）は暗証コードとして３が選択された場合である。暗証コードの桁を増やす場合は、１０の桁をＵＰスイッチ５ａ、ＤＯＷＮスイッチ５ｂを操作して選択し設定スイッチ５ｃにより確定後、同様に１の桁を選択し確定することで、暗証コードの組み合わせは増やすことが可能である。図５（ｉ）は暗証コードとして５８が選択された場合である。
【００３４】
暗証コードが設定された被測定者番号で測定後、前回スイッチ８が押された場合は、マイクロコンピュータ１５の中に構成された暗証コード確認手段は１４は前回の値を表示する前に暗証コードの入力を要求する。図５（ｊ）は測定結果表示後、前回スイッチ８が押され、前回値を表示する前に暗証コードを要求している状態である。この時数字の部分を点滅させれば、使用者は何を要求されているのかがわかり易い場合もある。
【００３５】
この状態で、ＵＰスイッチ５ａ、ＤＯＷＮスイッチ５ｂを操作して暗証コードを３として設定スイッチ５ｃで確定すれば、暗証コード確認手段１４は暗証コードが合致したとして、前回の値を表示するが、暗証コードが例えば９と確定された場合は、合致と見なさず、今回測定した値の表示に戻り、前回の値を表示しないようにすることで、第３者が誤って、被測定者１０の被測定番号で測定後、前回スイッチ８を押しても被測定者のプライバシーは確保することができるものである。上記の方法であれば、被測定者情報の入力時、あるいは暗証コードの入力時においても、ＵＰスイッチ５ａ、ＤＯＷＮスイッチ５ｂ、設定スイッチ５ｃの３つのスイッチで入力が可能であり、数字を直接意味しないスイッチでも数字の入力が可能であり、０〜９の直接数字を意味するいわゆる１０キーを用いた場合に比べ、スイッチの数を極端に減らせることが可能であり、操作スイッチの多さで機器自体が煩雑に見えるということがない。
【００３６】
（実施例２）
図６は、いわゆる７セグメントで数字を表す表示ブロック毎に１つのセグメントを選択し暗証コードの表現のバリエーションを広げた例で、数字の場合は誕生日等で簡単に設定してしまい、悪気のある第三者に暗証コードを予測されないといった効果がある。この場合のセグメントの選択も、左端の７セグメント表示ブロックをＵＰスイッチ５ａ、ＤＯＷＮスイッチ５ｂで表示するセグメントを右回りや左回りで選択するといったルール付けをし、選択後、設定スイッチ５ｃで確定し、真中の７セグメントブロック中の１つのセグメントの選択、確定、最後に右端の７セグメントブロック中の１つのセグメントの選択、確定とすれば、ＤＯＷＮスイッチ５ｂ、設定スイッチ５ｃの３つのスイッチで入力が可能となる。
【００３７】
（実施例３）
図７は、いわゆる７セグメントで数字を表す表示ブロック毎に４つのセグメントの組み合わせを選択し数字以外の暗証コードの表現バリエーションを広げた例で、数字の場合は誕生日等で簡単に設定してしまい、悪気のある第三者に暗証コードを予測されないといった効果がある。この実施例は、７セグメントブロックを上下の丸の組み合わせと見たてて、上下の丸の組み合わせを暗証コードとした例で、図７の記憶方法としては、上下下となる。この場合のセグメントの選択も、左端の７セグメント表示ブロックをＵＰスイッチ５ａ、ＤＯＷＮスイッチ５ｂで表示する４つのセグメントの組み合わせでできる丸の上か下かを選択するといったルール付けをし、選択後、設定スイッチ５ｃで確定し、同様に真中の７セグメントブロック、最後に右端の７セグメントブロックとすれば、ＤＯＷＮスイッチ５ｂ、設定スイッチ５ｃの３つのスイッチで入力が可能となる。
【００３８】
【発明の効果】
以上のように、本発明によれば、体調管理に有益な過去の測定結果のとの比較が行える上でプライバシーの確保もでき、また、最小限の入力スイッチ数で被測定者情報の入力、暗証コードの入力が可能となり、スイッチが多いことでの機器自体の煩雑さをなくすることができる。
【図面の簡単な説明】
【図１】本発明の実施例１における生体情報測定装置の外観図
【図２】本発明の実施例１における生体情報測定装置のブロック図
【図３】本発明の実施例１における測定時の説明図
【図４】本発明の実施例１における、液晶表示器の表示概要と操作スイッチ概要図
【図５】本発明の実施例１における液晶表示例を示す図
【図６】本発明の実施例２における暗証コードの表現のバリエーションを広げた液晶表示例を示す図
【図７】本発明の実施例３における暗証コードの表現のバリエーションを広げたその他の液晶表示例を示す図
【図８】従来の生体情報測定装置の測定結果表示例を示す図
【符号の説明】
１  足部電極
１ａ  足部電極の１つ
１ｂ  足部電極の１つ
１ｃ  足部電極の１つ
１ｄ  足部電極の１つ
２  人体載置部
３  手部電極
３ａ  手部電極の１つ
３ｂ  手部電極の１つ
４  把持部
５  入力手段
６  報知手段（液晶表示器）
７  ケーブル
８  呼び出し手段
９  インピーダンス測定手段
９ａ  定電流電源部
９ｂ  人体抵抗電位検出部
１０  被測定者
１１  演算手段
１２  記憶手段
１３  暗証コード設定手段
１４  暗証コード確認手段
１５  マイクロコンピュータ
【図１】
2004344275.tif 000003
【図２】
2004344275.tif 000004
【図３】
2004344275.tif 000005
【図４】
2004344275.tif 000006
【図５】
2004344275.tif 000007
【図６】
2004344275.tif 000008
【図７】
2004344275.tif 000009
【図８】
2004344275.tif 000010